(57)【要約】【課題】設置場所に応じた最適な火災検知機能に自動設定する。【解決手段】少なくとも熱検知部１１と煙検知部１２とを備えた火災検知部１と、設置場所を選択する設置場所設定スイッチ２と、上記設置場所設定スイッチ２によって設置場所が選択されたときには、その設置場所に応じて予め割付けられている、熱検知部１１、煙検知部１２の少なくともいずれかを有効な火災検知部１として自動設定して機能させる感知器機能切替制御部３とを備える。【選択図】図１
2004086566.tif 000002
【特許請求の範囲】
【請求項１】
火災を検知して、警報を出力する住宅用火災警報器であって、
少なくとも熱検知部と煙検知部とを備えた火災検知部と、
設置場所を選択する設置場所設定スイッチと、
上記設置場所設定スイッチによって設置場所が選択されたときには、その設置場所に応じて予め割付けられている、熱検知部、煙検知部の少なくともいずれかを有効な火災検知部として自動設定して機能させる感知器機能切替制御部とを備えたことを特徴とする住宅用火災警報器。
【請求項２】
請求項１において、
上記感知器機能切替制御部は、感知器感度制御手段を更に備えており、
この感知器感度制御手段は、上記設置場所設定スイッチの設定場所によって選択的に機能させる火災検知部を、予め設定された最適な検知感度に自動設定する機能を備えた住宅用火災警報器。
【請求項３】
請求項１又は２の何れかにおいて、
上記設置場所設定スイッチによって、定温式、差動式熱感知器、煙感知器あるいは、これらの熱煙複合感知器として選択的に機能する住宅用火災警報器。
【請求項４】
請求項１〜３の何れかにおいて、
上記感知器機能切替制御部は、感知器警報音制御手段を更に備えており、
この感知器警報音制御手段は、上記火災検知部が火災を検知したときに鳴動される警報音を、予め定められた最適な音量になるように設定している火災警報器。
【請求項５】
請求項１〜４の何れかにおいて、
上記感知器機能切替制御部は、感知器蓄積時間制御手段を更に備えており、
この感知器蓄積時間制御手段は、火災検知したときから、上記警報音を鳴動するまでの蓄積時間を、上記設置場所設定スイッチが特定した設置場所に応じて、予め定められた最適な蓄積時間に設定されている火災警報器。
【請求項６】
請求項１〜５の何れかにおいて、
上記設置場所設定スイッチは、火災警報器の裏面に設けられている火災警報器。
【発明の詳細な説明】
【０００１】
【発明の属する技術分野】
本発明は、住宅用に設置される火災警報器の改良に関する。
【０００２】
【従来の技術】
従来、住宅用火災警報器には、定温式、差動式、光電式など、様々な種類があり、これらの中から、設置する場所に応じた適切なものを単又は複数選択して設置していた。
【０００３】
また、近年では、１つの火災警報器に、複数の検知機能（例えば、熱検知、煙検知、感度）を備えたものも開発されており、これら複数の検知機能の中から、設置する場所に応じて、所望の検知機能に切替え設定して、所望の検知機能を備えた火災警報器として使用できるものもある。
【０００４】
【発明が解決しようとする課題】
このように、従来の住宅用火災警報器では、設置される場所に適した機能を備えた火災警報器を選択する必要がある。
【０００５】
しかしながら、火災の物理的な事象に詳しくない人（以下、「一般人」と呼ぶ。）にとっては、複数の種類の中から、最適な機能を備えた住宅用火災警報器を選択することは困難であり、一般人には、これを設置できないという問題があった。
【０００６】
本発明は、上記事情を考慮してなされたものであり、一般人でも設置場所に応じた最適な機能を容易に設定できる住宅用火災警報器を提供することを目的としている。
【０００７】
【課題を解決するための手段】
上記目的を達成するため、
請求項１に係る住宅用火災警報器では、火災検知部と、設置場所設定スイッチと、その設置場所に応じて予め割付けられている最適な火災検知機能に自動設定される感知器機能切替制御部を備えているので、設置する場所に合わせて、設置場所設定スイッチを設定するだけで、一般人でも設置場所に応じた最適な火災警報器を容易に選択して設定できる。
【０００８】
請求項２に係る住宅用火災警報器では、感知器感度制御手段を更に備えており、設置場所設定スイッチを設定するだけで、その設置場所に応じて予め設定された最適な検知感度も自動的に設定できる。
【０００９】
請求項３に係る住宅用火災警報器では、設置場所設定スイッチによって、定温式、差動式熱感知器、煙感知器あるいは、これらの熱煙複合感知器として、設置場所に最適な種類の火災感知器が自動的に選択して設定できる。
【００１０】
請求項４に係る住宅用火災警報器では、感知器警報音制御手段を更に備えており、設置場所設定スイッチを設定するだけで、その設置場所に応じた最適な警報音の音量も自動的に設定できる。
【００１１】
請求項５に係る住宅用火災警報器では、感知器蓄積時間制御手段を更に備えており、設置場所設定スイッチを設定するだけで、その設置場所に応じた最適な蓄積時間も自動的に設定できる。
【００１２】
請求項６に係る住宅用火災警報器では、設置場所設定スイッチは、火災警報器の裏面に設けられているので、警報器全体の美観を向上できるうえ、設置場所設定スイッチが不用意に設定変更されることを防止できる。
【００１３】
【発明の実施の形態】
以下に、本発明の実施の形態について、図面とともに説明する。
【００１４】
図１は、本発明の住宅用火災警報器の一実施例を説明するための概略ブロック図、図２（ａ）、（ｂ）は、設置場所設定スイッチの一例を示す要部拡大図、図３は、感知器機能選択テーブルの一例を示す概略説明図である。
【００１５】
この住宅用火災警報器Ａは、熱検知部１１と煙検知部１２とを備えた火災検知部１と、設置場所を選択する設置場所設定スイッチ２と、この設置場所設定スイッチ２によって設置場所が選択されたときには、その設置場所に応じて予め割付けられている、熱検知部１１、煙検知部１２の少なくともいずれかを有効な火災検知部１として自動設定して機能させる感知器機能切替制御部３とを備え、各部屋やフロアなどに設置された火災検知部１が、火災を検知したときには、ブザー等の警報音出力部４を作動して警報音を鳴動させるようにしている。
【００１６】
火災検知部１は、熱又は煙を検知できるのもであれば良く、発報短絡式（オン、オフ式）、アナログ式のいずれもでもよい。
【００１７】
設置場所設定スイッチ２は、図２（ａ）に示すようなディップ型のスイッチ又は図２（ｂ）に示すようなロータリー型のスイッチの他、押し釦式などでも良いが、何れの型の設置場所設定スイッチ２にも、設置される様々な場所が表示された表示部２１を設けている。
【００１８】
ここでは、表示部２１として、子供、居間、台所、寝室の各部屋用を示したものを例示している。
【００１９】
また、設置場所設定スイッチ２は、火災警報器Ａの表面から見えないように、裏面に設けることが好ましく、このような裏面に設けることで、住宅用の火災警報器Ａとしての全体の美観を向上できるうえ、設置場所設定スイッチ２が不用意に設定変更されることを防止できる。
【００２０】
感知器機能切替制御部３は、設置場所設定スイッチ２によって選択された設置場所に応じて予め割付けられている感知器機能選択テーブル３１に基づき、熱検知部１１、煙検知部１２の少なくともいずれかを有効な火災検知部１として自動設定して機能させるようにしている。
【００２１】
すなわち、この住宅用火災警報器Ａが設置された場所に合わせて、設置場所設定スイッチ２の表示部２１を設定すれば、感知器機能選択テーブル３１によって、熱感知部１１又は煙感知部１２の何れかの火災検知部１が自動的に選定設定され、例えば、熱検知部１１が有効な火災検知部１として選択されたとき、定温式熱感知器、差動式熱感知器として動作する。
【００２２】
もっとも、火災検知部１は、熱感知部１１及び煙感知部１２を複合させて使用することも可能であり、設置場所によっては、定温式、差動式熱感知器、煙感知器あるいは、これらの熱・煙複合感知器として機能させることもできる。
【００２３】
加えて、感知器機能切替制御部３には、熱感知部１１の熱感度や煙感知部１２の煙感度が、例えば「普通」又は「敏感」の何れかに予め設定される感知器感度制御手段３２を備えても良く、このような感知器感度制御手段３２を設ければ、設置場所設定スイッチ２の設定場所によって自動的に設定された火災検知部１の検知感度を、予め設定した最適な検知感度に設定しておくことができる。
【００２４】
また、感知器機能切替制御部３には、警報音出力部４から鳴動される警報音の音量が、例えば「普通」又は「大きい」の何れかに予め設定される感知器警報音制御手段３３を更に備えても良く、このような感知器警報音制御手段３３を設ければ、設置場所設定スイッチ２を設定するだけで、その設置場所に応じた最適な警報音の音量も自動的に設定できる。
【００２５】
更に、感知器機能切替制御部３には、火災検知したときから、上記警報音を鳴動するまでの蓄積時間が、例えば「短い」又は「長い」の何れかに予め設定される感知器蓄積時間制御手段３４を更に備えても良く、このような感知器蓄積時間制御手段３４を設ければ、設置場所設定スイッチ２を設定するだけで、その設置場所に応じた最適な蓄積時間も自動的に設定できる。
【００２６】
これら感知器感度制御手段３２、感知器警報音制御手段３３、感知器蓄積時間制御手段３４は、様々な条件に応じて予め設定されるが、例えば、▲１▼人の動きの少ない場所では、煙感度「敏感」・熱感度「敏感」・蓄積時間「短い」、▲２▼人が普段活動する場所では、煙感度「普通」・熱感度「普通」・蓄積時間「長い」、▲３▼熱や煙の発生しやすい場所では、蓄積時間「長い」、▲４▼調理途中で人が離れる場所、耳の聞こえ難い人が多い場所、普段人がいなく、警報音が聞こえ難い場所などでは、警報音量「大きい」ように予め設定しておくのが望ましい。
【００２７】
そのため、図３で示すように、例えば、設置場所が廊下・階段の場合では、そこは、人の動きの少ない場所であって、且つ普段人がいなく、警報音が聞こえ難い場所に相当するので、感知器機能選択テーブル３１には、煙感度「敏感」・熱感度「敏感」・蓄積時間「短い」・蓄積音量「大きい」という具合に予め設定している。
【００２８】
このような住宅用火災警報器Ａは、次のように動作する。
【００２９】
先ず、住宅用火災警報器Ａを所望の場所に設置し、この設置場所に合わせて設置場所設定スイッチ２を設定する。
【００３０】
この設定が行われると同時に、感知器機能選択テーブル３１の内容は、設置場所に最適な内容に自動的に特定される。
【００３１】
例えば、設置場所設定スイッチ２を、「廊下・階段」に設定した場合であれば、この住宅用火災警報器Ａは、図３で示すように、煙感度「敏感」・熱感度「敏感」・蓄積時間「短い」・蓄積音量「大きい」という機能を備えたものとして自動的に設定され、火災を検知すれば、これらの機能に基づいて警報音が鳴動される。
【００３２】
このように、本発明の住宅用火災警報器Ａによれば、これを設置する場所に合わせて、設置場所設定スイッチ２を設定するだけで、感知器機能切替制御部３が、予め割付けられている最適な火災検知機能に自動的に設定されるので、一般人でも設置場所に応じた最適な住宅用火災警報器Ａを容易に選択して設定できるのである。
【００３３】
【発明の効果】
以上の説明からも理解できるように、
本発明の請求項１に記載の住宅用火災警報器によれば、設置する場所に合わせて、設置場所設定スイッチを設定するだけで、一般人でも設置場所に応じた最適な火災警報器を容易に選択して設定できる。
【００３４】
本発明の請求項２に記載の住宅用火災警報器によれば、感知器感度制御手段を更に備えているので、設置場所設定スイッチを設定するだけで、その設置場所に応じて予め設定された最適な検知感度も自動的に設定できる。
【００３５】
本発明の請求項３に記載の住宅用火災警報器によれば、設置場所設定スイッチによって、定温式、差動式熱感知器、煙感知器あるいは、これらの熱煙複合感知器として、設置場所に最適な種類の火災感知器が自動的に選択して設定できる。
【００３６】
本発明の請求項４に記載の住宅用火災警報器によれば、感知器警報音制御手段を更に備えているので、設置場所設定スイッチを設定するだけで、その設置場所に応じた最適な警報音の音量も自動的に設定できる。
【００３７】
本発明の請求項５に記載の住宅用火災警報器によれば、感知器蓄積時間制御手段を更に備えているので、設置場所設定スイッチを設定するだけで、その設置場所に応じた最適な蓄積時間も自動的に設定できる。
【００３８】
本発明の請求項６に記載の住宅用火災警報器によれば、設置場所設定スイッチは、火災警報器の裏面に設けられているので、警報器全体の美観を向上できるうえ、設置場所設定スイッチが不用意に設定変更されることを防止できる。
【図面の簡単な説明】
【図１】本発明の住宅用火災警報器の一実施例を説明するための概略ブロック図
【図２】（ａ）、（ｂ）は、設置場所設定スイッチの一例を示す要部拡大図
【図３】感知器機能選択テーブルの一例を示す概略説明図
【符号の説明】
Ａ　　住宅用火災警報器
１　　火災検知部
１１　熱検知部
１２　煙検知部
２　　設置場所設定スイッチ
３　　感知器機能切替制御部
３１　感知器機能選択テーブル
３２　感知器感度制御手段
３３　感知器警報音制御手段
３４　感知器蓄積時間制御手段
【図１】
2004086566.tif 000003
【図２】
2004086566.tif 000004
【図３】
2004086566.tif 000005